(57)【要約】【課題】保護シート待機位置に在る保護シートに皺が生じるという事態を可及的に抑制する。【解決手段】複数のガラス基板４を積層してパレット５上に梱包する際に各ガラス基板４の間に介装される保護シート７を、所定の搬送方向に搬送しながら予め決められた保護シート待機位置に順次供給する保護シート供給装置３であって、保護シート待機位置に在る保護シート７を保持した状態で、保護シート７に張力を付与する張力付与手段４５を配設した。【選択図】図５
2008213920.tif 000002
【特許請求の範囲】
【請求項１】
複数のガラス基板を積層してパレット上に梱包する際に各ガラス基板の間に介装される保護シートを、所定の搬送方向に搬送しながら予め決められた保護シート待機位置に順次供給する保護シート供給装置であって、
前記保護シート待機位置に在る保護シートを保持した状態で、該保護シートに対して張力を付与する張力付与手段を備えていることを特徴とする保護シート供給装置。
【請求項２】
前記張力付与手段は、前記搬送方向に対向する保護シートの二辺をその各辺に沿う複数の保持領域又はその辺に沿う連続したライン状の保持領域で保持すると共に、前記搬送方向に相対的に接離移動自在な一対の保持部を有し、
前記一対の保持部で保護シートを保持した状態で、該一対の保持部を離反させて、保護シートに対して、前記搬送方向に張力を付与することを特徴とする請求項１に記載の保護シート供給装置。
【請求項３】
前記一対の保持部は、前記搬送方向に対向する保護シートの二辺をその各辺に沿う複数の保持領域で保持するものであって、少なくともその各辺の両隅側に位置する保持領域が前記搬送方向と直交する方向に相対的に接離移動可能に構成されており、
前記一対の保持部で保護シートを保持した状態で、前記接離移動自在に構成された保持領域を離反させて、保護シートに対して、前記搬送方向と直交する方向に更に張力を付与することを特徴とする請求項２に記載の保護シート供給装置。
【請求項４】
前記搬送方向に沿って搬送される長尺なシート状の元材を所定寸法に切断して保護シートを作製する元材切断手段を備え、
前記張力付与手段が、前記元材切断手段によって作製される保護シートを保持した状態で、前記保護シート待機位置まで搬送するように構成されていることを特徴とする請求項１〜３のいずれかに記載の保護シート供給装置。
【請求項５】
前記張力付与手段によって、前記保護シート待機位置で保護シートを水平面に対して傾斜した姿勢で保持することを特徴とする請求項１〜４のいずれかに記載の保護シート供給装置。
【請求項６】
保護シートが、伸縮性を有することを特徴とする請求項１〜５のいずれかに記載の保護シート供給装置。
【発明の詳細な説明】
【技術分野】
【０００１】
本発明は、ガラス基板と保護シートとを交互にパレット上に積層して梱包するガラス基板の梱包技術の改良に関する。
【背景技術】
【０００２】
周知のように、液晶ディスプレイ、プラズマディスプレイ、エレクトロルミネッセンスディスプレイ、フィールドエミッションディスプレイなどのフラットパネルディスプレイ（以下、ＦＰＤという）用のガラス基板を初めとする各種ガラス基板は、保管や輸送に際して、パレット上に、各ガラス基板の間に合紙等の保護シートを介在させた状態で縦姿勢（略鉛直姿勢）又は横姿勢（略水平姿勢）で積層されて梱包されるのが通例とされている（例えば、下記の特許文献１参照）。
【０００３】
そして、かかるガラス基板の梱包作業に際しては、予め所定位置（以下、保護シート待機位置という）に待機した保護シートを、例えば吸着パッドで吸着保持してガラス基板の上に載置するのが通例である。
【０００４】
この際、保護シート待機位置から保護シートが吸着パッド等によって順次取り出されることになるので、ガラス基板の梱包作業を実行する間、保護シート待機位置に保護シートを供給する必要が生じ得る。
【０００５】
この保護シートの供給方法としては、複数枚の保護シートを予め保護シート待機位置に水平姿勢で積み重ねて積層状としておくことが考えられるが（例えば、下記の特許文献２参照）、かかる手法では、積層された保護シート同士が静電気等によって接着するなどし、保護シート待機位置から保護シートを取り出す作業に面倒且つ煩雑な作業が強いられることになる。
【０００６】
そこで、例えば下記の特許文献３に開示の手法のように、保護シートを一枚ずつ搬送しながら保護シート待機位置に供給することで、上記のように保護シートを積層状とした場合のように保護シート同士が接着するという事態を防止することができる。詳述すると、同文献には、長尺な保護シートを所定長さに切断し、それを二つ折りにした後、ガイド板で保護シート待機位置まで案内して待機させるという手法が開示されている。そして、ガラス基板の上に保護シートを載置する際に、保護シート待機位置から保護シートを取り出すようにしている。
【特許文献１】特開昭６２−１８０８３６号公報
【特許文献２】特開２００５−７５４８２号公報
【特許文献３】特許２００６−８１９２号公報
【発明の開示】
【発明が解決しようとする課題】
【０００７】
ところで、ガラス基板の梱包に利用される保護シートには、例えば厚みが０．５ｍｍ程度の比較的薄いものが使用される場合が多く、皺になりやすい。特に、近年のガラス基板の大型化に伴って、保護シートの寸法も大型化されていることから、皺の発生はより顕著なものとなって現れる。そして、このように保護シートに皺が生じた状態で、パレット上にガラス基板と保護シートとを交互に積層した場合には、保護シートの皺の分だけ保護シートの厚みが増すことになることから、ガラス基板と保護シートとを交互に積層した状態でその積層方向寸法が増大し、パレットへのガラス基板の積載枚数が不当に減少することになる。また、この場合には、保護シートの皺に起因して、ガラス基板と保護シートとの間に不当な隙間が生じることになるので、ガラス基板に撓みが生じる等して、ガラス基板に破損が生じるおそれがある。
【０００８】
このような保護シートに生じる皺の問題は、ガラス基板の上に載置された保護シートに皺が生じていなければ問題とはならないが、保護シートに生じた皺を事後的に取り除くことは極めて困難となる。したがって、ガラス基板の上に載置される保護シートの供給起点となる保護シート待機位置においても、保護シートに皺が発生するという事態を防止することが重要となる。
【０００９】
しかしながら、上記の特許文献３の開示の手法では、保護シート待機位置に在る保護シートは、ガイド板の上に水平姿勢で単に載置されているだけで、皺の発生を抑制するという観点から何ら対策が講じられていないのが実情である。
【００１０】
本発明は、以上の実情に鑑み、保護シート待機位置に在る保護シートに皺が生じるという事態を可及的に抑制することを技術的課題とする。
【課題を解決するための手段】
【００１１】
上記課題を解決するために創案された本発明は、複数のガラス基板を積層してパレット上に梱包する際に各ガラス基板の間に介装される保護シートを、所定の搬送方向に搬送しながら予め決められた保護シート待機位置に順次供給する保護シート供給装置であって、前記保護シート待機位置に在る保護シートを保持した状態で、保護シートに対して張力を付与する張力付与手段を備えていることに特徴づけられる。なお、張力付与手段としては、例えば、保持している保護シートに対してその搬送方向に対して張力を付与するもの、保持している保護シートに対してその搬送方向と直交する方向に張力を付与するもの、或いは保持している保護シートに対してその搬送方向及びその方向と直交する方向の双方に張力を付与するものなどが挙げられる。
【００１２】
このような構成によれば、張力付与手段によって保護シート供給装置に在る保護シートに対して張力が付与されるので、当該位置に在る保護シートに張りを持たせることができ、保護シートの皺の発生を抑制することができる。
【００１３】
上記の構成において、前記張力付与手段は、前記搬送方向に対向する保護シートの二辺をその各辺に沿う複数の保持領域又はその辺に沿う連続したライン状の保持領域で保持すると共に、前記搬送方向に相対的に接離移動自在な一対の保持部を有し、前記一対の保持部で保護シートを保持した状態で、該一対の保持部を離反させて、保護シートに対して、前記搬送方向に張力を付与することが好ましい。
【００１４】
このようにすれば、相対的に接離移動自在な一対の保持部で、保護シートの対向する二辺を、その各辺に沿う断続する複数の領域又はその各辺に沿う連続したライン状の領域で保持した状態で、一対の保持部を保護シートの搬送方向に離反させることで、保護シートに対して、その搬送方向に張力が付与されるので、保護シートに局所的ではなく、保護シート面全体に均等に張力が付与されることになる。したがって、保護シートに全体として均一に張りを持たせることができ、結果として皺の発生をより確実に抑制することが可能となる。
【００１５】
上記の構成において、前記一対の保持部は、前記搬送方向に対向する保護シートの二辺をその各辺に沿う複数の保持領域で保持するようにした場合には、少なくともその各辺の両隅側に位置する保持領域が前記搬送方向と直交する方向に相対的に接離移動可能に構成されており、前記一対の保持部で保護シートを保持した状態で、前記接離移動自在に構成された保持領域を離反させて、保護シートに対して、前記搬送方向と直交する方向に更に張力を付与することが好ましい。
【００１６】
このようにすれば、保護シートに対して、搬送方向と直交する方向にも張力が付与されることになるので、皺の発生を抑制するという観点からはより好ましいものとなる。
【００１７】
なお、上記の張力付与手段において、保護シートの前記搬送方向と直交する方向に対向する二辺を保持すると共に、前記搬送方向と直交する方向に相対的に離反移動自在な一対の第２保持部を別途設け、前記一対の第２保持部で保護シートを保持した状態で、該一対の第２保持部を離反させて、保護シートに対して、前記搬送方向と直交する方向に張力を付与するようにするようにしてもよい。
【００１８】
上記の構成において、前記搬送方向に沿って搬送される長尺なシート状の元材を所定寸法に切断して保護シートを作製する元材切断手段を備え、前記張力付与手段が、前記元材切断手段によって作製される保護シートを保持した状態で、前記保護シート待機位置まで搬送するように構成されていることが好ましい。
【００１９】
このようにすれば、元材切断手段によって作製される保護シートが、張力付与手段によって保持された状態で保護シート待機位置まで搬送されるので、保護シート待機位置における保護シートの姿勢を安定した状態に維持することができる。したがって、保護シート待機位置で、保護シートに対して適正な張力を付与することが可能となる。
【００２０】
上記の構成において、前記張力付与手段によって、前記保護シート待機位置で保護シートを水平面に対して傾斜した姿勢で保持するようにしてもよい。
【００２１】
このようにすれば、パレットに、ガラス基板と保護シートとをそれぞれ縦姿勢で交互に積層して梱包することが要請される場合に有利となる。すなわち、保護シート待機位置において保護シートを傾斜姿勢で保持しておけば、当該保護シートの姿勢を大きく変更することなく、パレット上に積み込まれたガラス基板の上に載置することができるため有利となる。このような観点からは、張力付与手段によって保持された保護シートの姿勢が、パレットに積み込まれる保護シートの姿勢、すなわちパレット上に積層されるガラス基板の姿勢と実質的に同一になるようにすることが好ましい。
【００２２】
上記の構成において、保護シートが、伸縮性を有することが好ましい。
【００２３】
このようにすれば、張力を付与する過程で、保護シートが適度に伸びることになるので、張力付与手段との間で位置ずれ等の変位が生じ難く、したがって保護シートに適正な張力を付与することが可能となる。
【００２４】
ここで、伸縮性を有する保護シートとしては、例えば樹脂シートや、発泡樹脂シートが挙げられる。そして、かかる樹脂シートや、発泡樹脂シートを保護シートとして使用した場合には、保護シートとして紙等を使用した場合に比して、保護シートから塵埃等の異物がガラス基板に付着するという事態を防止することができ、ガラス基板の清浄性を良好に維持することができる。さらに、発泡樹脂シートを使用した場合には、紙等に比して良好なクッション性が得られ、輸送時等に各ガラス板に作用する衝撃を適正に緩和することができる。
【発明の効果】
【００２５】
以上のように本発明によれば、張力付与手段によって、保護シート供給装置に在る保護シートに対して張力が付与されるので、当該位置に在る保護シートに張りを持たせることができ、保護シートの皺の発生を可及的に抑制することができる。
【発明を実施するための最良の形態】
【００２６】
以下、本発明の実施形態を添付図面に基づいて説明する。
【００２７】
図１は、本発明の一実施形態に係る保護シート供給装置が組み込まれたガラス基板梱包システムの一構成例を模式的に示す斜視図である。同図に示すように、このガラス基板梱包システム１は、ガラス基板供給装置２と、保護シート供給装置３と、ガラス基板供給装置２によって供給されるガラス基板４を略Ｌ字形のパレット５に積み込むガラス基板積込装置６と、保護シート供給装置３によって供給される保護シート７をパレット５に積み込む保護シート積込装置８とを備え、ガラス基板積込装置６と保護シート積込装置８とにより、パレット５上に、ガラス基板４と保護シート７とをそれぞれ縦姿勢で交互に自動的に積層して梱包するように構成されている。なお、この実施形態では、ガラス基板４は、ＦＰＤ用のガラス基板であって、一辺の寸法が１０００〜２５００ｍｍで且つ厚みが０．５〜０．７ｍｍである。また、保護シート７は、発泡樹脂シート（例えば発泡ポリエチレンシート）であって、ガラス基板４よりも縦横ともに１００〜１８０ｍｍ程度大きく、その厚みが０．５〜０．６ｍｍである。
【００２８】
ガラス基板積込装置６は、アーム部９と、アーム部９の先端に回転及び揺動可能に取り付けられたガラス基板保持手段１０とを備えている。アーム部９は、ベース部１１にスライド可能に載置されたスライダ１２の上に回転自在に取り付けられている。また、ガラス基板保持手段１０は、櫛歯形状を呈し、各櫛歯部分に、ガラス基板４を負圧作用で吸着する吸着パッド１３が複数配設されている。そして、このガラス基板保持手段１０には、隣接する櫛歯部分の間に、空間が形成されている。
【００２９】
保護シート積込装置８は、アーム部１４と、アーム部１４の先端に回転及び揺動可能に取り付けられ且つ保護シート７の周縁部のみを保持する保護シート保持手段１５とを備えている。アーム部１４は、ベース部１１にスライド可能に載置されたスライダ１６の上に回転自在に取り付けられている。保護シート保持手段１５は、上辺部１７と、この上辺部１７の両端から下方に伸びる一対の側辺部１８ａ，１８ｂとを備え、全体として下方が開口したコ字形を呈している。
【００３０】
図２に示すように、一対の側辺部１８ａ，１８ｂは、保護シート７の幅方向両辺の略全域に当接するようになっている。そして、各側辺部１８ａ，１８ｂの当接面には、保護シート７の幅方向両辺に沿う方向に複数の吸引孔Ｘが形成されており、各吸引孔Ｘから保護シート７に負圧を作用させることで、保護シート７の幅方向両辺をその辺に沿う複数の領域（各吸引孔Ｘに対応した領域）で吸着保持するようになっている。
【００３１】
さらに、一方の側辺部１８ａは上辺部１７に固定され、他方の側辺部１８ｂは上辺部１７にその長手方向にスライド可能に取り付けられており、他方の側辺部１８ｂが一方の側辺部１８ａに対して接離移動自在となっている。そして、これら一対の側辺部１８ａ，１８ｂで保護シート７の幅方向両辺を保持した状態で、他方の側辺部１８ｂを一方の側辺部１８ａから離反する方向（保護シート７の幅方向）にスライドさせることで、保護シート７に対して、幅方向に張力を付与するようになっている。
【００３２】
一方、上辺部１７には、保護シート７の上辺を補助的に保持する複数（図示例では保護シート７の上辺の中央位置及びその両側位置を挟持する計３つ）のチャック機構１９ａ，１９ｂ，１９ｃが取り付けられている。そして、既に述べたように、一方の側辺部１８ａに対して他方の側辺部１８ｂが接離移動自在に構成されていることから、側辺部１８ｂを離反させた際に生じる保護シート７の伸びに追随するように、中央のチャック機構１９ｂと他方の側辺部１８ｂ側のチャック機構１９ｃは、上辺部１７にその長手方向にスライド可能に取り付けられている。具体的には、この実施形態では、保護シート７の幅方向の伸びが均一になるように、一方の側辺部１８ａに対して他方の側辺部１８ｂが例えばｘｍｍスライドした場合、このスライドと同時且つ同方向に、この他方の側辺部１８ｂ側のチャック機構１９ｃはｘｍｍスライドし、中央のチャック機構１９ｂはｘ／２ｍｍスライドするように設定されている。なお、この実施形態では、側辺部１８ａ側では保護シート７の伸びが小さいので、チャック機構１９ａは上辺部１７に固定されている。
【００３３】
ガラス基板供給装置２は、図３に示すように、ガラス基板４の搬送方向（図中の矢印Ａ方向）と直交する方向に間隔を空けた状態で、ガラス基板４の搬送方向と平行に並列に配列された複数の搬送機構２０を備えている。隣接する搬送機構２０の間の間隔は、櫛歯形状を呈するガラス基板保持手段１０（図中一点鎖線で示す）が挿入可能な間隔に設定されている。なお、ガラス基板４は、ガラス基板供給装置２によって間欠的に搬送されると共に搬送機構２０上のガラス基板待機位置に到達した時点で停止するようになっている。
【００３４】
各搬送機構２０には、ガラス基板４が実際に載置される複数の搬送ローラ２１が配設されており、各搬送ローラ２１が同期回転するようになっている。詳述すると、モータ２２からの回転駆動力をカウンターベルト２３によって複数のプーリー２４に伝達することで、各プーリー２４に接続された回転シャフト２５を同期回転させるようになっている。さらに、各回転シャフト２５には、その軸方向に間欠的に複数のベベルギア２６が固定されており、このベベルギア２６が搬送ローラ２１に固定されたベベルギア２７に噛み合わされている。これにより、モータ２２の回転駆動力が、各搬送ローラ２１へと伝達されると共に、各搬送ローラ２１が同期回転するようになっている。
【００３５】
保護シート供給装置３は、図４及び図５に示すように、長尺なシート状の元材２８を供給する元材供給手段２９と、元材供給手段２９から供給される元材２８を切断して保護シート７を作製する元材切断手段３０とを備えている。
【００３６】
図４に示すように、元材供給手段２９は、元材２８が巻回されてなる一対の元材ロール３１ａ，３１ｂと、各元材ロール３１ａ，３１ｂから引き出された元材２８を切断する一対のカッター３２ａ，３２ｂとを備え、元材ロール３１ａ，３１ｂのいずれか一方から引き出された元材２８を元材切断手段３０に供給し、元材ロール３１ａ（３１ｂ）の残量が所定量よりも少なくなった段階で、その元材ロール３１ａ（３１ｂ）から引き出された元材２８をカッター３２ａ（３２ｂ）で切断すると共に、この切断された元材２８の末端部と、他方の元材ロール３１ｂ（３１ａ）から引き出された元材２８の先端部とを接続するようになっている。
【００３７】
詳述すると、図示例では、一対の元材ロール３１ａ，３１ｂのうち、元材ロール３１ａが使用されている状態を示しており、この使用中の元材ロール３１ａに連続する元材２８が、一対のニップローラ３３ａ，３３ｂの間に挟持されている。そして、ニップローラ３３ａ，３３ｂの回転に伴って使用中の元材ロール３１ａから元材２８が引き出され、元材切断手段３０（後述する基台４１の傾斜面４１ａ上）に供給されるようになっている。
【００３８】
また、使用中の元材ロール３１ａ側には、待機中の元材ロール３１ｂから僅かに引き出された元材２８に対向する面の裏面側に、間隔を空けた状態で吸着プレート３４ａが待機している。この吸着プレート３４ａは、シリンダ３５ａの先端側に支点Ａ１を中心として回転可能に取り付けられている。シリンダ３５ａの基端側は、支点Ａ２を中心として回転可能に支持されている。さらに、この吸着プレート３４ａと元材ロール３１ａとの間には、カッター３２ａが取り付けられた切断板３６ａと、カッター３２ａで元材２８を切断する際に切断板３６ａと係合する係合板３７ａとが配設されている。
【００３９】
待機中の元材ロール３１ｂに連続する元材２８の先端部には、使用中の元材ロール３１ａから引き出された元材２８に対向する面側に予め両面テープ３８が貼着されており、その裏面側が吸着プレート３４ｂによって吸着保持されている。この吸着プレート３４ｂは、吸着プレート３４ａとの対向間隔が元材ロール３１ａ，３１ｂ側に移行するに連れて漸次広がるように、吸着プレート３４ａに対して傾斜した状態で配設されると共に、シリンダ３５ｂの先端側に支点Ｂ１を中心として回転可能に取り付けられている。このシリンダ３５ｂの基端側は、支点Ｂ２を中心として回転可能に支持されている。さらに、この吸着プレート３４ｂと元材ロール３１ｂとの間には、カッター３２ｂが取り付けられた切断板３６ｂと、カッター３２ａで元材２８を切断する際に切断板３６ｂと係合する係合板３７ｂとが配設されている。
【００４０】
そして、一方の元材ロール３１ａの残量が、図示しないセンサによって予め決められた所定量よりも少なくなったことが検知された段階で、元材ロール３１ａから引き出された元材２８を吸着プレート３４ａで吸着保持すると共に、切断板３６ａと係合板３７ａとを係合させてカッター３２ａで元材２８を切断するようになっている。その後、シリンダ３５ａを伸長させて、その先端に取り付けられた吸着プレート３４ａを待機中の吸着プレート３４ｂに重ね合わせることにより、ニップローラ３３ａ，３３ｂへと連続する切断後の元材２８の末端部を、待機中の元材ロール３１ｂから引き出された元材２８の先端部に両面テープ３８によって接続するようになっている。この際、吸着プレート３４ａとシリンダ３５ａは、支点Ａ１，Ａ２を中心として回転し、吸着プレート３４ａが、円弧状の軌跡（図中の矢印Ｂ）を描きながら吸着プレート３４ｂに重なるようになっている。
【００４１】
また、元材ロール３１ａから引き出された元材２８がニップローラ３３ａ，３３ｂに至るまでの経路上には、ガイドローラ３９と、ダンサーローラ４０とが配設されており、元材２８が各ローラ３９，４０の一部に巻回されている。図示例ではニップローラ３３ａ，３３ｂが非回転時に、ダンサーローラ４０が下方に移行し、ニップローラ３３ａ，３３ｂが回転時に、ダンサーローラ４０が上方に移行することにより、元材２８が一定の張力を維持しながらニップローラ３３ａ，３３ｂより定尺で供給されるようにしてある。
【００４２】
図５に示すように、元材切断手段３０は、傾斜面４１ａを有する基台４１と、前記一対のニップローラ３３ａ，３３ｂによって基台４１の傾斜面４１ａ上に引き出された元材２８を切断する切断機構４２とを備えている。なお、基台４１の傾斜面４１ａの水平面に対する傾斜角度αは、パレット５に縦姿勢で積み込まれたガラス基板４の水平面に対する傾斜角度と一致又は略一致している。
【００４３】
切断機構４２は、ニップローラ３３ａ，３３ｂによって所定寸法引き出された元材２８を基台４１の傾斜面４１ａに押圧する押圧プレート４３と、この押圧プレート４３によって傾斜面４１ａに押圧された元材２８を搬送方向（図中の矢印Ｃ方向）と直交する方向（以下、幅方向という）に切断するカッター４４とを備えている。押圧プレート４３は、元材２８の幅方向寸法よりも長尺な板状体を呈し、基台４１の傾斜面４１ａに対して接離移動自在に構成されている。なお、カッター４４を幅方向に走行させるための空間が、押圧プレート４３の上下方向中間位置にその幅方向に亘って形成されている。
【００４４】
さらに、保護シート供給装置３は、特徴的な構成として、元材切断手段３０によって作製される保護シート７に張力を付与する張力付与手段４５を備えている。この張力付与手段４５は、保護シート７の搬送方向（元材２８の搬送方向と同方向）に対向する二辺をその各辺に沿う複数の領域で保持する一対の保持部４６，４７を有しており、この実施形態では、保持部４７が保持部４６に対して接離移動自在に構成されている。
【００４５】
詳述すると、搬送方向の上流側に位置する保持部４６は、保護シート７の上辺を吸着保持する複数（図示例では３つ）の吸着プレート４６ａ，４６ｂ，４６ｃを備えており、各吸着プレート４６ａ，４６ｂ，４６ｃには、保護シート７に負圧を作用させる複数の吸引孔が形成されている。さらに、両端の吸着プレート４６ａ，４６ｃは、保護シート７の幅方向に相対的に接離移動自在に構成されている。
【００４６】
一方、搬送方向の下流側に位置する保持部４７は、保護シート７の下辺を挟持した状態で保持する複数（図示例では４つ）のチャック機構４７ａ，４７ｂ，４７ｃ，４７ｄを備えている。各チャック機構４７ａ，４７ｂ，４７ｃ，４７ｄは、基台４１の傾斜面４１ａに沿って昇降移動するスライドバー４８に取り付けられており、このうち両端のチャック機構４７ａ，４７ｄは、保護シート７の幅方向に相対的に接離移動自在に構成されている。さらに、スライドバー４８と共に各チャック機構４７ａ，４７ｂ，４７ｃ，４７ｄが基台４１の傾斜面４１ａに沿って昇降移動する際に、各チャック機構４７ａ，４７ｂ，４７ｃ，４７ｄの移動が阻害されないように、各チャック機構４７ａ，４７ｂ，４７ｃ，４７ｄの走行路に対応した領域には、傾斜面４１ａに凹部４９が形成されている。さらに、両端のチャック機構４７ａ，４７ｄに対応する凹部４９には、昇降プレート５０が収納されている。
【００４７】
次に、以上のように構成されたガラス基板梱包システム１によるガラス基板４の梱包方法を説明し、合わせて本実施形態に係る保護シート供給装置３の動作を説明する。
【００４８】
本実施形態のガラス基板梱包システム１による梱包方法は、ガラス基板供給装置２からガラス基板積込装置６へとガラス基板４を供給するガラス基板供給工程と、保護シート供給装置３から保護シート積込装置８へと保護シート７を供給する保護シート供給工程と、ガラス基板積込装置６と保護シート積込装置８とによりパレット５にガラス基板４と保護シート７とをそれぞれ縦姿勢で交互に積層する積層工程とに大別される。
【００４９】
図１及び図３に示すように、ガラス基板供給工程では、まず、ガラス基板４が上流側から並列に配列された複数の搬送機構２０上に間欠的に搬送される。その後、ガラス基板４は、各搬送機構２０によって同じく間欠的に搬送されると共に、ガラス基板待機位置に達した時点で停止する。そして、その後或いはその前段階で、櫛歯形状を呈するガラス基板保持手段１０（図３において一点鎖線で示す）が、隣接する搬送機構２０の間の空間に挿入される。この状態で、ガラス基板保持手段１０が上昇し、ガラス基板待機位置に在るガラス基板４の下面にガラス基板保持手段１０の吸着パッド１３が当接し、ガラス基板４の下面が吸着保持される。その後、ガラス基板保持手段１０が、搬送機構２０の間の空間からその搬送面よりも上方に上昇し、搬送機構２０からガラス基板４が離れ、ガラス基板保持手段１０へのガラス基板４の供給が完了する。このようにすれば、ガラス基板４の有効面（上面）に触れることなく、ガラス基板４の非有効面（下面）のみを吸着保持した状態で、搬送機構２０からガラス基板４を容易且つ確実に供給することができる。
【００５０】
保護シート供給工程は、前記ガラス基板供給工程と並行して行われる。図４及び図５に示すように、保護シート供給工程では、まず、ニップローラ３３ａ，３３ｂによって、一対の元材ロール３１ａ，３１ｂのいずれか一方（図示例では元材ロール３１ａ）から元材２８が所定寸法引き出され、元材切断手段３０へと供給される。この状態で、元材切断手段３０によって、所定寸法引き出された元材２８が切断され、保護シート７が作製される。
【００５１】
具体的には、元材２８は、ニップローラ３３ａ，３３ｂによって基台４１の傾斜面４１ａへと供給され、傾斜面４１ａに沿って下方に垂れ下がる。その後或いはその前段階で、チャック機構４７ａ，４７ｂ，４７ｃ，４７ｄが、基台４１の傾斜面４１ａに沿ってスライドバー４８と一体的に上昇し、このチャック機構４７ａ，４７ｂ，４７ｃ，４７ｄによって元材２８の下辺部が挟持される。この状態で、ニップローラ３３ａ，３３ｂによって元材ロール３１ａから元材２８がさらに引き出され、傾斜面４１ａ上に供給される。そして、この元材２８の供給と同期して、チャック機構４６ａ，４６ｂ，４６ｃ，４６ｄがスライドバー４７と一体的に基台４１の傾斜面４１ａに沿って下降する。このようにしてニップローラ３３ａ，３３ｂによって傾斜面４１ａ上に、保護シート７に対応した寸法分の元材２８が供給された段階で、ニップローラ３３ａ，３３ｂの回転及びチャック機構４７ａ，４７ｂ，４７ｃ，４７ｄの下降が停止する。
【００５２】
そして、この状態で、押圧プレート４３が下降して、元材２８を傾斜面４１ａに押圧し、カッター４４によって元材２８が切断され、保護シート７が作製される。そして、保護シート７の上方部を吸着プレート４６ａ，４６ｂ，４６ｃで吸着した後、押圧プレート４３が上昇して保護シート７から離れる。その後、スライドバー４８と一体的にチャック機構４７ａ，４７ｂ，４７ｃ，４７ｄが傾斜面４１ａに沿って更に下降して、保護シート７が、保護シート待機位置（保護シート７の上辺が押圧プレート４３の下方から露出する位置）まで引き下げられる。この間、保護シート７の上方部は、吸着プレート４６ａ，４６ｂ，４６ｃによって補助的に吸着保持されながら、吸着プレート４６ａ，４６ｂ，４６ｃの上を滑るように下方に引き下げられる。
【００５３】
次いで、保護シート７が保護シート待機位置まで引き下げられた段階（図６参照）で、両端の吸着プレート４６ａ，４６ｃが離反すると共に、両端のチャック機構４７ａ，４７ｄが離反して、保護シート７に幅方向に張力が付与される。また、保護シート７は、その上方部が吸着プレート４６ａ，４６ｂ，４６ｃによって吸着された状態で、その上を滑りながらチャック機構４７ａ，４７ｂ，４７ｃ，４７ｄによって引き下げられていることから、保護シート７の搬送方向にも張力が付与されることになる。これにより、保護シート待機位置に在る保護シート７は幅方向及び搬送方向に張りを持った状態となることから、保護シート積込装置８（保護シート保持手段１５）に保護シート７を供給する前に、保護シート７に皺が生じるという事態を確実に防止することができる。また、このように張力を付与することで保護シート７を、保護シート保持手段１５に対して正確に位置決めすることも可能となる。
【００５４】
そして、張力が付与された状態で保持された保護シート７に、図６に示すように、保護シート保持手段１５の側辺部１８ａ,１８ｂが当接する。この状態で、保護シート保持手段１５の側辺部１８ａ，１８ｂに設けられた複数の吸引孔Ｘにより、保護シート７の幅方向両辺をその辺に沿う複数の領域（吸引孔Ｘに対応した領域）で吸着保持し、上辺部１７のチャック機構１９ａ，１９ｂ，１９ｃにより保護シート７の上辺を挟持した状態で保持する（図２参照）。なお、側辺部１８ａ,１８ｂによって保護シート７を吸着保持する際には、基台４１の凹部８１に収納されている昇降プレート５０が基台４１の傾斜面４１ａと同一平面上まで上昇し、保護シート保持手段１５の側辺部１８ａ，１８ｂによって保護シート７を吸着保持する領域の裏面側に当接される。
【００５５】
そして、保護シート保持手段１５による保護シート７の保持が完了した段階で、基台４１に配設された吸着プレート４６ａ，４６ｂ，４６ｃ及びチャック機構４７ａ，４７ｂ，４７ｃ，４７ｄによる保護シート７の保持は解除されると共に、保護シート保持手段１５が基台４１の傾斜面４１ａから離れ、保護シート保持手段１５への保護シート７の供給が完了する。このようにすれば、保護シート７は、張力が付与された状態で、保護シート保持手段１５に供給されるので、この供給段階で、保護シート７に皺が生じるという事態を防止することができる。また、既に述べたように、基台４１の傾斜面４１ａの傾斜角度αは、パレット５に縦姿勢で積み込まれたガラス基板４の水平面に対する傾斜角度と一致又は略一致していることから、保護シート待機位置に在る保護シート７も、同様にパレット５上のガラス基板４と実質的に同一姿勢となる。したがって、保護シート積込装置８は、保護シート７の姿勢を変更することなく、そのままの姿勢でパレット５に保護シート７を積み込むことができる。よって、保護シート積込装置８の動作の簡素化を図ることができ、結果として保護シート７の積込作業の高速化を図ることが可能となる。
【００５６】
一方、保護シート保持手段１５は、上記した態様で保護シート７を保持した状態で、図２に示すように、他方の側辺部１８ｂ及びチャック機構１９ｂ，１９ｃを、一方の側辺部１８ａから離反する方向（保護シート７の幅方向）に同時にスライドさせ、保護シート７の幅方向に張力を付与する。このようにすれば、保護シート７の幅方向両辺をその辺に沿う複数の領域（吸着孔Ｘに対応する領域）で保持した状態で、その保持された保護シート７に対して、幅方向に張力が付与されるので、保護シート７に局所的ではなく、保護シート面全体に均等に張力が付与されることになる。したがって、保護シート７に、全体として平面状に均一な張りを持たせることができ、結果として、パレット５上に積み込まれたガラス基板４の上に実質的に皺のない保護シート７を載置することができる。さらに、このように側辺部１８ａ，１８ｂにより保護シート７に張力を付与する際に、保護シート７の上辺はチャック機構１９ａ，１９ｂ，１９ｃによって挟持されているので、保護シート７のガラス基板４上への移送時に、保護シート７にばたつきが生じるという事態を抑制することができ、保護シート７の姿勢の安定化と保護シート７の搬送の高速化を図ることができる。
【００５７】
また、以上のような保護シート供給工程の実行中に、使用中の元材ロール３１ａの残量が、図示しないセンサによって所定量よりも少なくなったことが検知されると、ニップローラ３３ａ，３３ｂの回転が停止し、ダンサーローラ４０が下方に移行する。その後、元材ロール３１ａから引き出された元材２８が吸着プレート３４ａによって吸着保持されると共に、切断板３６ａと係合板３７ａとが係合し、元材２８がカッター３２ａによって切断される。この状態から、シリンダ３５ａが伸びて、その先端に取り付けられた吸着プレート３４ａが待機中の吸着プレート３４ｂと重ね合わされ、ニップローラ３３ａ，３３ｂへと連続する切断後の元材２８の末端部が、待機中の元材ロール３１ｂから引き出された元材２８の先端部に両面テープ３８により接続される。そして、このように元材２８の接続が完了すると、吸着プレート３４ａが元の位置に戻り、使用する元材ロールが、元材ロール３１ｂへと移行される。そして、元材ロール３１ｂを使用している間、残量が所定量に満たなくなった元材ロール３１ａを新しいものに交換し、その先端部に両面テープ３８を貼着した状態で、その裏面側を吸着プレート３４ａで吸着保持して待機させておく。これにより、元材ロール３１ａの交換時に、他方の元材ロール３１ｂで元材２８の供給を継続することができる。また、ダンサーローラ４０を介した状態で元材２８に、他方の元材ロール３１ｂから引き出された元材２８が接続されるので、接続後の元材２８においても一定の張力を維持させながらニップローラ３３ａ，３３ｂから所定寸法で供給することができる。さらに、既に述べたように、２つの吸着プレート３４ａ，３４ｂは、その対向間隔が漸次広がるように配設されていることから、待機中の元材ロール３１ｂ（３２ａ）の元材２８の先端部に両面テープ３８を容易に貼着することができる。
【００５８】
積層工程は、以上のようなガラス基板供給工程及び保護シート供給工程を経た後に行われる。図７（ａ）に示すように、積層工程では、まず、パレット５に先行して縦姿勢で積み込まれたガラス基板４の上に、保護シート積込装置８の保護シート保持手段１５によって周縁部のみが保持された保護シート７が載置される。その後、図７（ｂ）に示すように、保護シート保持手段１５によって周縁部が保持された状態の保護シート７の上に、ガラス基板積込装置６のガラス基板保持手段１０に非有効面側が保持されたガラス基板４が載置される。そして、図７（ｃ）に示すように、保護シート７の上に、後続のガラス基板４が載置された段階で、保護シート保持手段１５による保護シート７の保持が解除される。以後、この動作を繰り返すことで、パレット５に、ガラス基板４と保護シート７とがそれぞれ縦姿勢で交互に積層された状態で梱包される。このようにすれば、パレット５に先行して積み込まれたガラス基板４の上に載置された保護シート７は、ガラス基板積込装置６によって後続のガラス基板４が載置されるまで、保護シート積込装置８の保護シート保持手段１５によってその周縁部が保持された状態となることから、後続のガラス基板４が載置される前に、保護シート７に位置ずれや皺が生じるという事態を防止することができる。そして、保護シート保持手段１５による保護シート７の保持が解除された段階では、既に保護シート７は先行するガラス基板４と後続のガラス基板４との間に挟まれた状態となることから、事後的に保護シート７に位置ずれや皺が生じるという事態も防止することができる。したがって、ガラス基板４と保護シート７とを交互に積層した状態でその積層方向寸法が不当に増大するこがなく、パレット５に予め決められた枚数のガラス基板４を確実に積層して梱包することができる。また、ガラス基板４と保護シート７との間に不当な隙間が形成されないので、ガラス基板４に破損が生じるという事態も好適に防止できる。なお、保護シート積込装置８は、ガラス基板４よりも大きな保護シート７の周縁部のみを保持していることから、ガラス基板積込装置６と保護シート積込装置８とを相互に干渉させることなく、保護シート積込装置８で保護シート７を保持した状態のまま、保護シート積込装置８による保護シート７の保持部分を除く領域に、ガラス基板積込装置６によってガラス基板４を載置することができる。
【００５９】
なお、本発明は、上記の実施形態に限定されるものではなく、種々の変形が可能である。上記の実施形態では、保護シート７として発泡樹脂シートを使用した場合を説明したが、その他、保護シートとして樹脂シート等を使用してもよい。
【００６０】
また、上記の実施形態では、梱包対象のガラス基板４がＦＰＤ用のガラス基板である場合を例にとって説明したが、梱包対象のガラス基板４は各種電子表示機能素子や薄膜を形成するための基材として用いられるガラス基板等であってもよい。
【図面の簡単な説明】
【００６１】
【図１】本発明の実施形態に係る保護シート供給装置が組み込まれたガラス基板梱包システムの一構成例を模式的に示す斜視図である。
【図２】図１の保護シート積込装置の保護シート保持手段を模式的に示す斜視図である。
【図３】図１のガラス基板供給装置を模式的に示す平面図である。
【図４】図１の保護シート供給装置の元材供給手段を模式的に示す側面図である。
【図５】図１の保護シート供給装置の元材切断手段を模式的に示す斜視図である。
【図６】保護シート供給工程の終盤の状態を模式的に示す側面図である。
【図７】（ａ）は積層工程の序盤の状態を、（ｂ）はその中盤の状態を、（ｃ）はその終盤の状態をそれぞれ模式的に示す斜視図である。
【符号の説明】
【００６２】
１                              ガラス基板梱包システム
２                              ガラス基板供給装置
３                              保護シート供給装置
４                              ガラス基板
５                              パレット
６                              ガラス基板積込装置
７                              保護シート
８                              保護シート積込装置
９                              アーム部
１０                            ガラス基板保持手段
１１                            ベース部
１２                            スライダ
１３                            吸着パッド
１４                            アーム部
１５                            保護シート保持手段
１６                            スライダ
１７                            上辺部
１８ａ，１８ｂ                  側辺部
１９ａ，１９ｂ，１９ｃ          チャック機構
２０                            搬送機構
２１                            搬送ローラ
２２                            モータ
２３                            カウンターベルト
２４                            プーリー
２５                            回転シャフト
２６，２７                      ベベルギア
２８                            元材
２９                            元材供給手段
３０                            元材切断手段
３１ａ，３１ｂ                  元材ロール
３２ａ，３２ｂ                  カッター
３３ａ，３３ｂ                  ニップローラ
３４ａ，３４ｂ                  吸着プレート
３５ａ，３５ｂ                  シリンダ
３６ａ，３６ｂ                  切断板
３７ａ，３７ｂ                  係合板
３８                            両面テープ
３９                            ガイドローラ
４０                            ダンサーローラ
４１                            基台
４１ａ                          傾斜面
４２                            切断機構
４３                            押圧プレート
４４                            カッター
４５                            張力付与手段
４６                            保持部
４６ａ，４６ｂ，４６ｃ          吸着プレート
４７                            保持部
４７ａ，４７ｂ，４７ｃ，４７ｄ  チャック機構
４８                            スライドバー
４９                            凹部
５０                            昇降プレート
Ｘ                              吸引孔
【図１】
2008213920.tif 000003
【図２】
2008213920.tif 000004
【図３】
2008213920.tif 000005
【図４】
2008213920.tif 000006
【図５】
2008213920.tif 000007
【図６】
2008213920.tif 000008
【図７】
2008213920.tif 000009